(57)【要約】      （修正有）【課題】台紙自体も更に節減して経済性と作業性の向上を図るとともに台紙にシャツをより確実に且つ薄く固定する。【解決手段】台紙２をシャツの背面側に位置させて、背当て部２１をシャツの後身頃の上部に当て、シャツを背当て部の左右の辺部に沿って幅方向に背当て部の背面側に折り返すとともに、背当て部の背面側に位置した左右の袖を折り畳んで、折り畳んだ袖の上端部を前記押さえ片２８で挟んで押さえた後、シャツの幅方向に折り返された裾部を丈方向に折り返し、裾部を折り返したシャツを背当て部の下辺部に沿って丈方向に２つ折りにして、裾部が内側になったシャツの折り返し上端を保持板部２３に形成した裾固定部２９に固定する。【選択図】図１
2015020778.tif 000002
【特許請求の範囲】
【請求項１】
シャツの後身頃の上部に当てられる上下に長手の略長方形状の背当て部と、前記背当て部の上端に首部を介して連設されるとともに前記首部を基点として前記台紙の背面側に折り返される裾固定部を形成した保持板部を有するとともに前記背当て部の上部に切込みを入れることによって形成されて前記保持板部の折返し部に沿って上端を基点として折り曲げることによって背当て部から突出される襟差し込み部を形成し、且つ前記襟差し込み部の下方に切込みを入れることによって形成された上端を起点として開く押さえ片とを備えているシャツの折り畳み型となる紙製の台紙と、前記台紙に折り畳んだ状態で固定されたシャツの襟を整形する紙製の襟整形部材と、からなり、
前記台紙をシャツの背面側に位置させて、前記背当て部をシャツの後身頃の上部に当て、シャツを背当て部の左右の辺部に沿って幅方向に背当て部の背面側に折り返すとともに、前記背当て部の背面側に位置した左右の袖を折り畳んで、折り畳んだ袖の上端部を前記押さえ片で挟んで押さえた後、前記シャツの幅方向に折り返された裾部を丈方向に折り返し、該裾部を折り返したシャツを背当て部の下辺部に沿って丈方向に２つ折りにして、裾部が内側になったシャツの折り返し上端を前記保持板部に形成した裾固定部に固定することによりシャツを台紙に固定し、さらに前記襟整形部材を挿入配置して第１ボタンを閉じたシャツの襟における折り重ね部内側に前記背当て部から突出させた襟差し込み部を重ねて差し込み襟の形状を整形することを特徴とするシャツ折り畳み形状維持具。
【請求項２】
前記台紙における前記裾固定部が前記首部を基点として前記台紙の背面側に折り返される保持板部に形成された開閉可能なフラップを有する掛止窓であることを特徴とする請求項１記載のシャツ折り畳み形状維持具。
【請求項３】
前記保持板部の折返し部に沿って上端を基点として折り曲げることによって背当て部から突出される襟差し込み部に、切込みを入れることによって形成された上端を起点として開く表示片を備えたことを特徴とする請求項１または２記載のシャツ折り畳み形状維持具。
【請求項４】
前記襟整形部材が紙製でシャツの襟の内部に重合する幅と長さを有して両端を襟先の角度に合わせた細長台形で帯状で、長さ方向の所定間隔で縦方向にわたる複数のすじ押しまたはミシン目状の刃入れが形成されていることを特徴とする請求項１，２または３記載のシャツ折り畳み形状維持具。
【発明の詳細な説明】
【技術分野】
【０００１】
本発明は、シャツを折り畳んだ状態で販売する際に、シャツの折り畳み形状を維持するために使用されるシャツ折り畳み形状維持具に関するものである。
【背景技術】
【０００２】
従来から、ワイシャツなどのような美麗な形態を特徴とするシャツは、装着した場合
を想像できるような状態に折り畳んで透明の包装袋などに収容した状態で販売されており、シャツが皺にならず且つシャツの襟や袖の形態さらには生地や模様なども包装したままで確認でき、加えて商品価値が高まるだけでなく運搬、保管、展示などにも適しているという多くの利点を有している。
【０００３】
ところで、前記のように、折り畳んだ状態でシャツの形状を維持するために各種の形状の台紙や、襟整形部材などのシャツ折り畳み形状維持具が用いられている。
【０００４】
このようなシャツ折り畳み形状維持具としてはシャツ全体を支持する台紙や、折り畳んだ部位を固定するための硬質合成樹脂製のピンや、襟を美麗に整形するための板状或いは蝶ネクタイ状の襟整形部材など使用目的や使用部位に合わせて複数種類を適宜選択して用いられているものが多く見受けられる。
【０００５】
そのため、異なる材料のものを用いる場合には製造ルートも異なることもあり、発注、在庫の管理や組み立て作業などにも負担が生じることになる。
【０００６】
購入者も、使用時には材質や使用箇所が異なる各種のシャツ折り畳み形状維持具を一々取り外すとともに地域のゴミ処理手段によっては分別処理が必要な場合もあり、負担にもなっており、特に合成樹脂製のものは燃焼による環境汚染の問題もあり、ピンやクリップのような小さなパーツは小さな子供が誤って飲み込んでしまうという心配もある。
【０００７】
一方、たとえば特開２００８−２２２２６４号公報に提示されているように、硬質合成樹脂のピンや板材などを用いないばかりか簡単且つ短時間でシャツを折り畳んで折り畳み形状維持する優れたシャツ折り畳み形状維持具が提示されている。
【０００８】
ところで前記公報に提示されているような従来の折り畳み形状維持具に用いられているシャツを固定するための台紙は、例えば図８に示したように、折り畳んだシャツ４ａ全体を固定するための台紙２ａが、シャツ４ａの後身頃４１ａの上部に当てられる上下に長手の長方形状の背当て部２１ａと、背当て部２１ａの上端部に首部２２ａを介して連設された左右に長手の保持板部２３ａとを備えるものであり、例えば特開２００７−２７６８５７号公報などに提示されているシャツ折り畳み形状維持具における台紙のように別部材としての裾固定部材を必要としないことから部品の製造や管理が容易であるばかりか作業も簡単できわめて便利なものである。
【０００９】
また、前記公報に提示されている従来のシャツ折り畳み形状維持具は、例えば図８（ａ）に示すように、折り畳んだシャツ全体を固定するための台紙２ａと襟の内側に挿着される襟整形部材３ａとからなり、台紙２ａは、シャツ４ａの後身頃４１ａの上部に当てられる上下に長手の長方形状の背当て部２１ａと、背当て部２１ａの上端部に首部２２ａを介して連設された左右に長手の保持板部２３ａとを備えるものであり、図８（ｂ）に示すように保持板部２３ａを上に向けた姿勢でシャツ４ａの背面側に位置させ、台紙２ａの背当て部２１ａをシャツ４ａの後身頃４１ａの上部に中心位置を合わせて当て、図７（ｃ）に
示すように、ワイシャツ４ａの左右の一方の側、例えば左側を背当て部２１ａの左の辺部に沿って幅方向に背当て部２１ａの背面側に折り返し、背当て部２１ａの背面側に位置した左の袖４２ａを背当て部２１ａ上で折り畳み、同様に、シャツ４ａの他方の側の右側を背当て部２１ａの右の辺部に沿って幅方向に背当て部２１ａの背面側に折り返し、背当て部２１ａの背面側に位置した左の袖４２ａを背当て部２１ａ上で折り畳んで押さえ片２４ａで挟むことによって押さえるものである。
【００１０】
そして、図７（ｄ）に示すように、折り畳まれたシャツ４ａの裾４３ａを丈方向に折り返し、裾４３ａが内側になったシャツ４ａの折り返し上端を背当て部２１ａの上端に合わせて台紙２ａの保持板部２３ａを首部２２ａで背面側に折り返してシャツ４ａの上に重ねるとともに、図７（ｅ）に示すように保持板部２２ａの両端部を幅方向内側に折り返して、シャツ４ａと裾４３ａとの間に挿入するものであり、比較的幅広な保持板部２３ａが必要であり、材料費の低減が望まれるとともに、固定作業も保持板部２３ａの両端部を幅方向内側に折り返して、シャツ４ａと裾４３ａとの間に挿入するなど煩雑な面もある。
【００１１】
一方、前記台紙とともに用いられる襟整形部材としては、適宜の厚さを有する細長の合成樹脂板を屈曲させて襟の内側や折り込み部に差し込むものが一般的であり、台紙との材質の違いによる価格を含めた管理や廃棄の問題がある。それだけでなく、この従来の襟整形部材は屈曲させた際に生じる硬質の合成樹脂材により整形される整形部材自身が有する弾力が作用することになる。
【００１２】
そのため、使用時に中央部を屈曲させて丸みを付けたりする必要があり作業が面倒であるとともに、板材が有する直線性から施行した襟整形部材が全体として外側方向へ開くことから襟の平面外観が円形に広がってしまい、襟が有する本来の形状を呈していない、という問題もある。
【００１３】
更にまた、従来の折り畳み形状維持具において、硬質合成樹脂製のＵ形クリップなどが用いられているが、Ｕ形クリップは幅が狭いことから１つでは固定力が弱く所定位置に固定しがたいばかりかシャツへの取付跡や皺がついてしまうという問題もある。
【先行技術文献】
【特許文献】
【００１４】
【特許文献１】特開２００８-２２２２６４号公報
【特許文献２】特開２００７-２７６８５７号公報
【発明の開示】
【発明が解決しようとする課題】
【００１５】
本発明は前記従来のシャツの折り畳み形状維持具を台紙を含めて紙製に統一して材質の異なる部品を用いている従来品の製造ならびに廃棄の不便さを解消するとともに、特に、台紙自体も更に節減して経済性と作業性の向上を図るとともに台紙にシャツをより確実に且つ薄く固定可能とし、加えてシャツの襟を真円に近づけて整形可能であるばかりか袖口も美麗に且つ所定位置に確実に固定可能なシャツの折り畳み形状維持具を提供することである。
【課題を解決するための手段】
【００１６】
上記課題を解決するためになされた本発明は、シャツの後身頃の上部に当てられる上下に長手の略長方形状の背当て部と、前記背当て部の上端に首部を介して連設されるとともに前記首部を基点として前記台紙の背面側に折り返される裾固定部を形成した保持板部を有するとともに前記背当て部の上部に切込みを入れることによって形成されて前記保持板部の折り返し部に沿って上端を基点として折り曲げることによって背当て部から突出され
る襟差し込み部を形成し、且つ前記襟差し込み部の下方に切込みを入れることによって形成された上端を起点として開く押さえ片とを備えているシャツの折り畳み型となる紙製の台紙と、前記台紙に折り畳んだ状態で固定されたシャツの襟を整形する紙製の襟整形部材と、からなり、前記台紙をシャツの背面側に位置させて、前記背当て部をシャツの後身頃の上部に当て、シャツを背当て部の左右の辺部に沿って幅方向に背当て部の背面側に折り返すとともに、前記背当て部の背面側に位置した左右の袖を折り畳んで、折り畳んだ袖の上端部を前記押さえ片で挟んで押さえた後、前記シャツの幅方向に折り返された裾部を丈方向に折り返し、該裾部を折り返したシャツを背当て部の下辺部に沿って丈方向に２つ折りにして、裾部が内側になったシャツの折り返し上端を前記保持板部に形成した裾固定部に固定して台紙と固定し、さらに前記背当て部から突出させた襟差し込み部を予め第１ボタンを閉じて前記襟整形部材を挿入配置したシャツの襟における折り重ね部内側に重ねて差し込み襟の形状を整形することを特徴とする。
【００１７】
本発明によれば、前記台紙と、襟整形部材を紙製とすることにより、製造ならびに使用後の廃棄などにおいて従来の硬質合成樹脂板やＵ形クリップなどを用いるものに比べて経済面、環境面で有利であり、加えて、クリップやピンのようにシャツの素材を損傷したり皺を付けることもなく、子供などが誤飲してしまうという心配もなく、紙製の台紙と、襟整形部材と、袖固定部材とを用いて均質なシャツの折り畳み形状維持具を提供することができる。
【００１８】
また、本発明において、前記台紙における前記裾固定部が前記首部を基点として前記台紙の背面側に折り返される保持板部に形成された開閉可能なフラップを有する掛止窓であることを特徴とする場合には、更に、台紙自体の削減を図ることができるとともに折り畳み作業の簡易化を図り、更には全体として薄く確実に折り畳むことが可能である。
【００１９】
更に本発明における前記保持板部の折り返し部に沿って上端を基点として折り曲げることによって背当て部から突出される襟差し込み部に、切込みを入れることによって形成された上端を起点として開く表示片を備えることにより、従来のような包装したシャツの首周りの寸法や体型サイズなどの別途印刷したラベル用の別部材である小片を襟に挟み込む手間や別途制作した別部材である紐付きラベルをボタンに係着させるなどの工程が不要であり、また、特に見やすい奥襟の外側に表示されるので顧客も希望のサイズのものを選択しやすい。
【００２０】
加えて、本発明において、前記襟整形部材が紙製でシャツの襟の内部に重合する幅と長さを有して両端を襟の傾斜に合わせた細長台形で帯状で、長さ方向の所定間隔で縦方向にわたる複数のすじ押しまたはミシン目状の刃入れが形成されていることにより、襟に合わせて屈曲させることで商品についての襟形状に合わせて自然な形に整形可能である。尚、本発明では前記複数のすじ押しを襟整形部材の天地の部分に余白を設けて天地端まで形成していない。そのため、すじ押しの曲げ効果を発揮させることを可能としたまま、襟成形部材がすじ押し部分で折れたりして丸く形成できないことを防止している。
【００２１】
更にまた、本発明は、前記襟整形部材は端部に使用するシャツの襟回りに合わせて簡単に切り取り可能な切取線が形成されており、シャツの襟サイズに合わせて容易に対応可能である。
【発明の効果】
【００２２】
本発明によれば、台紙を含めて紙製に統一して材質の異なる部品を用いることなく、製造ならびに廃棄の不便さを解消し、台紙自体も更に節減して経済性と作業性の向上を図るとともに台紙にシャツをより確実に且つ薄く固定可能とし、加えてシャツの襟を真円に近づけて整形することができる。
【図面の簡単な説明】
【００２３】
【図１】本発明の実施の形態に係る平面図である。
【図２】図１に示した実施の形態についてのシャツ折り畳み形状維持具を用いてシャツを折り畳む際の適用状態を示すものであり、（ａ）はシャツの背面側から適用するところを示す説明図、（ｂ）はシャツの正面側から適用するところを記す説明図である。
【図３】図１に示した実施の形態を用いてシャツを折り畳む工程を示す説明図である。
【図４】図１に示した実施の形態を用いてシャツを折り畳む工程を示す説明図である。
【図５】図１に示した実施の形態を用いてシャツを折り畳む工程を示す説明図である。
【図６】図１に示した実施の形態を用いてシャツを折り畳む工程を示す説明図である。
【図７】図１に示した実施の形態を用いてシャツを折り畳む工程を示す説明図である。
【図８】従来例を工程とともに示した説明図である。
【発明を実施するための最良の形態】
【００２４】
以下、本発明を図面に示す好ましい実施の形態に基づいて詳細に説明する。
【００２５】
図１は、本発明であるシャツ折り畳み形状維持具１を例えば長袖のワイシャツについて実施した場合の好ましい実施形態の一例を示す平面図、図２はシャツ折り畳み形状維持具１をシャツ５に適用する位置を示す説明図であり、本実施形態であるシャツ折り畳み形状維持具１は、シャツ５の折り畳みと固定を行う台紙２と、襟５１の整形を行う襟整形部材３から形成される。尚、本発明であるシャツ折り畳み形状維持具１を構成する前記台紙２、襟整形部材３はそれぞれ個別の部品としても従来品に比べて著しい作用・効果を奏するものである。
【００２６】
そして、台紙２は例えばいわゆるボール紙もしくは類似した厚紙（必要であれば裏面または表面を含めて表面加工してもよい）で形成されて、シャツ５の後身頃５３の上部に当てられる上下に長手の長方形状の背当て部２１と、背当て部２１の上端部に首部２２を介して連設された保持板部２３とを備える。背当て部２１は、幅がシャツ５の幅の約２分の１強、長さがシャツ５の丈の約２分の１弱の寸法の略長方形の形状を有し、左右上辺はシャツ５の左右上辺に沿った傾斜を有している。
【００２７】
また、背当て部２１に保持板部２３を連設する首部２２には、水平方向に延びる折り返し部２４が形成されて折り返し部２４において首部２２を基点として台紙２の背面側に折り返せるようになっている。また、前記背当て部２１における保持板部２３の下方には折り畳んだシャツ５の袖５５を係止するための押さえ片２８が形成されている。この押さえ片２８は切欠部が内側に形成した半円形の係止部２７，２７が形成されてはずれにくく形成されている。
【００２８】
更に、台紙２の保持板部２３には、下辺において開閉可能なほぼ横長台形を呈するフラップ２３１を有する掛止窓からなる裾固定部２９が形成されているとともに前記折り返し部２４を挟んだ前記保持板部２３に対向する位置（図示下方）に前記折り返し部２４に沿って上端を基点として上方へ向けて折り曲げることによって背当て部２１から突出される襟差し込み部２５が形成されている。この襟差し込み部２５はシャツ５の襟５１とこれに通した襟整形部材３との間の隙間に挿入するためのものである。
【００２９】
特に、本実施の形態では、前記襟差し込み部２５には裏面に例えばサイズ（Ｓ、Ｍ，Ｌ）、（首回り）、（裄丈）（素材）などの情報を表示した表示片２６が切込みを入れることによって上端を起点として開くように形成されている。尚、表示に関しては直接印刷することも可能であるが、例えばシールなどを用いることにより汎用性が確保でき、無駄もなくすことができる。
【００３０】
また、前記襟整形部材３は、従来の合成樹脂により形成されたものとほぼ同様に、襟の内部に重合する幅と長さを有して両端を襟の傾斜（例えば３０度の角度）に合わせた天地対称細長台形でボール紙もしくは類似の厚紙により形成されており、長さ方向の所定間隔で縦方向にわたる複数のすじ押し３１が形成されており、襟５１の折り返し部に差し込んで装着されるものである。尚、前記すじ押し３１は、中心部分においては広間隔（例えば２０〜４０ｍｍ）であって、両端部においては狭間隔（例えば１０〜１５ｍｍ）に形成されていることから丸めたときに真円に近い形状を呈するものである。特に、本実施の形態では襟整形部材３に形成されたすじ押し３１は天地の端部分にまで到達しておらず隙間（余白）を形成しているのですじ押し３１部分で鋭角に折れ曲がることなく全体として丸く折り曲げることができる。尚、本実施の形態では襟整形部材３にすじ押し３１を形成したが、すじ押し３１は例えばミシン目状の刃入れなど他の同様効果を生じる手段により形成してもよい。
【００３１】
更に、前記襟整形部材３は、前記台紙２とほぼ同様なボール紙もしくは類似した厚紙により形成されているので襟５１が不自然に形作られるという心配がない。
【００３２】
以上の構成を有する本実施の形態であるシャツ折り畳み形状維持具１を用いてシャツ５を折り畳んで、折り畳み形状を維持させるには、先ず、図２に示すように襟整形成部材３をシャツ５の襟５１の内側に通し第１ボタンを閉じる。このとき、本実施の形態では襟整形部材３は従来のような硬質合成樹脂材により形成されたものと異なりボール紙もしくは類似した厚紙により形成されていることから自身には弾性を有しておらず、確実にシャツ５の襟５１を円形に支持させることができる。特に、本実施の形態では襟整形部材３は縦方向に複数の且つ折り曲げ箇所に応じて間隔を有してすじ押し３１を形成しているので変形することなく確実に円形に曲げることが可能であり、襟５１を自然な状態に整形することができる。尚、本実施の形態では細い首回りの商品に対応するように予め両端に切取線３２，３２を形成してある。従って、使用するシャツ５の首回りに合わせてそのまま使用、或いは一方または両端の切取線３２において余分な部分を切り取ることで各種の首回りサイズに対応可能である。
【００３３】
そして、次に、図３に示すように、台紙２の背当て部２１をシャツ５の後身頃５３の上部に中心位置を合わせて当てるとともに、シャツ５の左右の一方の側、例えば左側を背当て部２１の左の辺部に沿って幅方向に背当て部２１の背面側に折り返し、背当て部２１の背面側に位置した左の袖５５を背当て部２１で折り畳み、同様に、図４に示すようにシャツ５の他方の側の右側を背当て部２１の右の辺部に沿って幅方向に背当て部２１の背面側に折り返し、背当て部２１の背面側に位置した右の袖５５を背当て部２１上で折り畳む。このとき、袖５５が動かないように背当て部２１に切込みを入れることによって形成された上端を起点として開く押さえ片２８で押さえるが、本実施の形態では押さえ片２８は切欠部が内側に形成した半円形の係止部２７，２７が形成されているので袖５５をこれらの係止部２７，２７に係止することにより確実に固定される。
【００３４】
次に、図５に示すように、表示片２６を形成した襟差し込み部２５を残したまま、保持板部２３を折り返し部２４において下方に折り曲げ反転させて前記台紙２を保持板部２３が上方位置となるような姿勢でシャツ５背面側に位置させ、台紙２の保持板部２３を折り返し部２４において下方へと折り返し、逆に、襟差し込み部２５を上方へ立設させて襟５
１の合わせ部に下方から差し込み前記襟整形部材３に重ねて奥襟部分を支持する。同時に襟差し込み部２５に形成した表示片２６を反対側に折り曲げて襟５１の外側に露出させる。尚、前記表示片２６には予めサイズなどを表示したラベルを貼付させてもよく（図示せず）、或いは台紙２に予め印刷しておいてもよい（図示せず）。
【００３５】
そして、折り畳まれたシャツ５の裾部５７をシャツ５の丈が背当て部２１のタテ方向の下部にあたる折り畳み位置５８で裾部５７を丈方向に二つに折り返し、シャツ５の折り返し上端を背当て部２１の上端に位置している開閉可能なフラップ２３１を有する掛止窓である裾固定部２９に差し込み固定する（図６および図７に示した状態）。
【００３６】
特に、本実施の形態では折り畳んだシャツ５の裾部５７を裾固定部２９に差し込み固定することから予め裾部５７を比較的幅狭に折り畳んでおくとよい。
【００３７】
また、本実施の形態では、前記掛止窓である裾固定部２９は台紙２の一部を繋げて折り返し部２４として切り込みにより形成したことから裾固定部２９には必然的に前記フラップ２３１が併設されているが、このフラップ２３１を製造過程で切り離す場合には製造工程で切り取り片が生じるので処理が煩雑となると言う問題が生じる。反面、フラップ２３１は裾固定部２９に差し込み固定した折り畳んだ裾部５７が膨らむのを阻止したり裏面側の美観を生じさせる役目もある。
【００３８】
尚、本実施の形態ではシャツ４の左側を先に畳む場合を示したが、前記従来例で示したように右側を先に折り畳んでも同様に実施することができることは言うまでもない。
【符号の説明】
【００３９】
１  シャツ折り畳み形状維持具、２  台紙、３  襟整形部材、５  シャツ、２１  背当て部、２２  首部、２３  保持板部、２３１  フラップ、２４  折り返し部、２５  襟差し込み部、２６  表示片、２７  係止部、２８  押さえ片、２９  裾固定部、３１  すじ押し、３２  切り取り線、５１  襟、５２  袖口、５３  後身頃、５５  前身頃
【図１】
2015020778.tif 000003
【図２】
2015020778.tif 000004
【図３】
2015020778.tif 000005
【図４】
2015020778.tif 000006
【図５】
2015020778.tif 000007
【図６】
2015020778.tif 000008
【図７】
2015020778.tif 000009
【図８】
2015020778.tif 000010